(57)【要約】  本発明の種々の特徴による情報管理システムのための方法及び装置は兵器のような外部システムと通信するためのシステムインターフェースおよびグローバル情報グリッドのようにネットワークに接続されているノードと通信するためのネットワークインターフェースと共に動作する。情報システム管理システムはさらに外部システムがネットワークに接続されたノードへサービスを提供し、そのノードからサービスを消費することを可能にするために、システムインターフェース及びネットワークインターフェースと通信するためのデータ処理システムを含んでいる。【選択図】図２
2010505156.tif 000002
【特許請求の範囲】
【請求項１】
埋設された計算装置に関連されるレガシー防衛システムからノードに関連される防衛ネットワークへサービスを提供するための情報管理システムにおいて、
埋設された計算装置との通信に応答し、レガシー防衛システムを接続するように構成されているシステムインターフェースと、
防衛ネットワークのノードとの通信に応答するネットワークインターフェースと、
システムインターフェースおよびネットワークインターフェースと通信するデータ処理システムとを具備し、データ処理システムは、
システムインターフェースを介してレガシー防衛システムからのサービスリクエストに応じてサービス応答をリクエストし、
レガシー防衛システムからサービス応答を受信し、
サービス応答をノードにより使用可能なフォーマットへ変換し、
ネットワークインターフェースを介して変換されたサービス応答を前記ノードへ送信することによって、ネットワークインターフェースを介して受信されたノードからのサービスリクエストに応答する情報管理システム。
【請求項２】
ネットワークインターフェースはオープンスタンダードにしたがっている請求項１記載の情報管理システム。
【請求項３】
システムインターフェースはオープンスタンダードにしたがっている請求項１記載の情報管理システム。
【請求項４】
前記データ処理システムは、
ネットワークインターフェースに応答する制御コアと、
制御コアに応答し、レガシー防衛システムに関連されるサブシステムと通信するサブシステムコアとを含み、サブシステムコアは制御コアに応答してサブシステムを制御する請求項１記載の情報管理システム。
【請求項５】
前記データ処理システムはさらにネットワークインターフェースと通信する通信管理装置を具備し、この通信管理装置は情報の変化に応答してのみ、ネットワークインターフェースを介してノードに与えられる情報を更新する請求項１記載の情報管理システム。
【請求項６】
情報管理システムは複数の埋設された計算装置を取替えて動作できるように構成されている請求項１記載の情報管理システム。
【請求項７】
前記データ処理システムはネットワークインターフェースを介してノードにアクセス可能なローカルデータ登録を含み、そのローカルデータ登録はレガシー防衛システムから利用可能なサービスを記述した情報を提供する請求項１記載の情報管理システム。
【請求項８】
レガシー防衛システムは兵器システムを具備し、システムインターフェースは兵器システムの少なくとも１つのサブシステムと通信するように構成されている請求項１記載の情報管理システム。
【請求項９】
ネットワークインターフェースは非同期環境からサービスリクエストを受信し、
システムインターフェースは同期環境からサービス応答を受信する請求項１記載の情報管理システム。
【請求項１０】
埋設された計算装置に関連されるレガシー防衛システムからノードに関連される防衛ネットワークへサービスを提供する方法において、
ネットワークインターフェースを介してノードからサービスリクエストを受信し、
システムインターフェースを介してサービスリクエストにしたがってレガシー防衛システムからのサービス応答をリクエストし、
レガシー防衛システムからシステムインターフェースを介してサービス応答を受信し、
サービス応答をノードにより使用可能なフォーマットへ変換し、
ネットワークインターフェースを介して変換されたサービス応答をノードへ送信するステップを含んでいる方法。
【請求項１１】
レガシー防衛システムは兵器装置を具備し、システムインターフェースは兵器システムの少なくとも１つのサブシステムと通信するように構成されている請求項１０記載の方法。
【請求項１２】
さらに、情報の変化に応答してのみ、ネットワークインターフェースを介してノードに与えられる情報を更新する請求項１０記載の方法。
【請求項１３】
さらに、システムインターフェースとの通信を可能にするためにレガシー防衛システムのソフトウェアシステムまたはハードウェアシステムの少なくとも一方を変更する請求項１０記載の方法。
【請求項１４】
レガシー防衛システムからのサービス応答のリクエストは、
サービスリクエストにしたがって制御コアからサブシステムコアへサービスリクエストを提供し、
レガシー防衛システムに関連されるサブシステムをサービスリクエストにしたがってシステムインターフェースを介して制御するステップを含み、
レガシー防衛システムからのサービス応答の受信は、
システムインターフェースを介してサブシステムからサービス応答をサブシステムコアにより受信し、
サブシステムコアからのサービス応答を制御コアへ提供するステップを含んでいる請求項１０記載の方法。
【請求項１５】
さらに、レガシー防衛システムから利用可能なサービスを記述した情報を、ネットワークインターフェースを介してノードへアクセス可能なローカルデータ登録へ提供する処理を含んでいる請求項１０記載の方法。
【請求項１６】
サービスリクエストの受信は非同期環境からのサービスリクエストの受信を含み、
サービス応答の受信は同期環境からのサービスリクエストの受信を含んでいる請求項１０記載の方法。
【請求項１７】
埋設された計算装置に関連されるレガシー防衛システムからのサービスをノードに関連される防衛ネットワークへ提供するコンピュータ読取り可能なプログラムにおいて、コンピュータ読取り可能なプログラムはデータ処理システムに、
ネットワークインターフェースを介してノードからサービスリクエストを受信させ、
システムインターフェースを介してサービスリクエストにしたがってレガシー防衛システムからサービス応答をリクエストさせ、
システムインターフェースを介してレガシー防衛システムからサービス応答を受信させ、
サービス応答をノードにより使用可能なフォーマットに変換させ、
ネットワークインターフェースを介して変換されたサービス応答をノードに送信させるコンピュータ読取り可能なプログラム。
【請求項１８】
レガシー防衛システムは兵器システムを具備し、システムインターフェースは兵器システムの少なくとも１つのサブシステムと通信するように構成されている請求項１７記載のコンピュータ読取り可能なプログラム。
【請求項１９】
コンピュータ読取り可能なプログラムは情報の変化に応答してのみ、データ処理システムにネットワークインターフェースを介してノードに与えられる情報を更新させる請求項１７記載のコンピュータ読取り可能なプログラム。
【請求項２０】
コンピュータ読取り可能なプログラムは、さらにデータ処理システムに、
制御コアからのサービスリクエストをサービスリクエストにしたがってサブシステムへ提供し、
レガシー防衛システムに関連されるサブシステムをサービスリクエストにしたがってシステムインターフェースを介して制御することによって、レガシー防衛システムからのサービス応答をリクエストさせ、
サブシステムコアによりシステムインターフェースを介してサブシステムからサービス応答を受信し、
サブシステムコアからのサービス応答を制御コアに提供することによって、レガシー防衛システムからのサービス応答を受信するように構成されている請求項１７記載のコンピュータ読取り可能なプログラム。
【請求項２１】
コンピュータ読取り可能な媒体はさらに、データ処理システムにレガシー防衛システムから利用可能なサービスを記述した情報をネットワークインターフェースを介してノードにアクセス可能なローカルデータ登録へ提供させるように構成されている請求項１７記載のコンピュータ読取り可能なプログラム。
【請求項２２】
コンピュータ読取り可能な媒体はさらに、データ処理システムに非同期環境からサービスリクエストを受信させ、同期環境からサービス応答を受信させるように構成されている請求項１７記載のコンピュータ読取り可能なプログラム。
【請求項２３】
埋設された計算装置に関連されるレガシー防衛システムからのサービスをノードに関連される防衛ネットワークへ提供する方法をマシンに実行させるマシンにより実行可能な命令を記憶している媒体において、
ネットワークインターフェースを介してノードからサービスリクエストを受信し、
システムインターフェースを介してサービスリクエストにしたがってレガシー防衛システムからサービス応答をリクエストし、
システムインターフェースを介してレガシー防衛システムからのサービス応答を受信し、
サービス応答をノードにより使用可能なフォーマットに変換し、
変換されたサービス応答をネットワークインターフェースを介してノードに送信する命令を含んでいる媒体。
【請求項２４】
レガシー防衛システムは兵器システムを具備し、システムインターフェースは兵器システムの少なくとも１つのサブシステムと通信するように構成されている請求項２３記載の媒体。
【請求項２５】
さらに、情報の変化に応答してのみ、ネットワークインターフェースを介してノードに与えられる情報は更新される請求項２３記載の媒体。
【請求項２６】
さらに、システムインターフェースとの通信を可能にするためにレガシー防衛システムのソフトウェアシステムまたはハードウェアシステムの少なくとも一方を変更させる命令を含んでいる請求項２３記載の媒体。
【請求項２７】
さらに、レガシー防衛システムからのサービス応答のリクエストは、
制御コアからのサービスリクエストをサービスリクエストにしたがってサブシステムコアへ提供し、
レガシー防衛システムに関連されるサブシステムをサービスリクエストにしたがってシステムインターフェースを介して制御し、
システムインターフェースを介してサブシステムからサブシステムコアによりサービス応答を受信し、
サブシステムコアからのサービス応答を制御コアへ提供する命令を含んでいる請求項２３記載の媒体。
【請求項２８】
さらに、レガシー防衛システムから利用可能なサービスを説明する情報を、ネットワークインターフェースを介してノードへアクセス可能なローカルデータ登録へ提供する命令を含んでいる請求項２３記載の媒体。
【請求項２９】
さらに、非同期環境からサービスリクエストを受信することを含んでいるサービスリクエストの受信する命令と、
同期環境からサービスリクエストを受信する命令を含んでいるサービス応答の受信を含んでいる請求項２３記載の媒体。
【発明の詳細な説明】
【技術分野】
【０００１】
本発明は情報管理システムのための方法及びシステムに関する。
【背景技術】
【０００２】
本出願は参照によりこの明細書の説明に組み込まれている2006年８月24日提出の米国暫定特許出願第60/823,439号明細書の特典を主張している。
【０００３】
グローバル情報グリッド（ＧＩＧ）は情報技術を管理するための米国国防総省（ＤｏＤ）により規定されている構造である。ＧＩＧはＤｏＤの戦闘、ビジネス、インテリジェンス能力のためのネットワーク中心（「ネット中心」としても知られている）方法を可能にすることを意図されている。国防ネットワーク及び情報統合の秘書職により出版されたネット中心運営および戦争基準モデル（ＮＣＯＷ  ＲＭ）はＧＩＧのネット中心環境を構成するのに必要なアーキテクチャベースの記述である。このアーキテクチャ規定内では、ネットレディキーの性能パラメータ（ＮＲ−ＫＰＰ）は情報の技術的交換とその交換の効率全体のためのインターフェース要求を設定する。ＮＲ−ＫＰＰ標準方式にしたがうシステムは「ネットレディ」であると考えられる。
【０００４】
ＮＲ−ＫＰＰは情報の技術的交換と、その交換の終端間動作効率の両者に対して必要とされるネットレディ属性を評価するために開発された。ＮＲ−ＫＰＰは情報の要求、情報の適時性、情報の確実さ、情報の技術的交換とその交換の終端間の動作効率の両者に必要なネットレディ属性を評価する。ＮＲ−ＫＰＰは証明可能な性能尺度と、所定の能力の情報要求を満たすため情報の適時で正確で完全な交換及び使用を評価するのに必要とされる関連される計量からなる。
【０００５】
ＮＣＯＷ  ＲＭとＮＲ−ＫＰＰとのコンプライアンスは少なくとも２つの主要な障害に直面する。第１に、サービスベースのアーキテクチャを有する単一の情報管理システムは異種の装置のアレイに対するオープンスタンダードベースのインターフェースを同時にサポートしながら、種々のミッション域とシステムタイプにわたって機能しなければならない。多数の情報管理システムの生成は高い開発及びメンテナンス価格と、ＧＩＧにおける他のシステムとのネットワーク化における適合性の問題を含んでいる。第２に、このようなシステムはＧＩＧと共に使用されるように開発されていないので、多くの既存の兵器システムと支援装置はネットレディではない。さらにサービス指向の環境内の動作は、本質的にほぼ排他的に予測可能であり同期である実時間環境に対して予測できない非同期処理負荷を与える。
【発明の概要】
【０００６】
本発明の種々の特徴による情報管理システムの方法と装置は、兵器のような外部システムと通信するためのシステムインターフェースと、グローバル情報グリッドのようなネットワークに接続されたノードと通信するためのネットワークインターフェースと共同して動作する。情報管理システムはさらに、外部システムがネットワークに接続されたノードへサービスを提供し、ノードからのサービスを消費することを可能にするためにシステムインターフェースおよびネットワークインターフェースと通信するデータ処理システムを含んでいる。
【図面の簡単な説明】
【０００７】
【図１】多数のノードを相互接続するネットワークのブロック図。
【図２】兵器システムをＧＩＧへ接続する情報管理システムのブロック図。
【図３】データ処理システムのブロック図。
【図４】リソース管理装置のブロック図。
【発明を実施するための形態】
【０００８】
本発明は例示的な図面を伴って考慮するとき詳細な説明及び特許請求の範囲を参照することにより完全に理解されよう。以下、図面では、同一の参照符合は図面を通して類似の素子とステップを指している。
【０００９】
図面中の素子とステップは簡潔で明瞭に示したものであり、必ずしも任意の特定の順序にしたがって行われない。例えば同時にまたは異なる順序で行われることができるステップは本発明の実施形態の理解をより良くするために図面で示されている。
【００１０】
本発明を機能ブロックコンポーネントと種々の処理ステップに関して説明する。このような機能ブロックは特定された機能を行い種々の結果を実現するように構成されている任意の数のハードウェアまたはソフトウェアコンポーネントによって実現されることができる。例えば本発明は種々の兵器または他の装置、インターフェース、通信システム及びプロトコル、ネットワーク、データ処理システム等を使用することができ、これは１以上のマイクロプロセッサまたは他の制御装置の制御下で種々の機能を実行できる。さらに、本発明は任意の数の兵器システム、コマンド、制御システム、センサ、プロセス、アプリケーション、環境と共に実施されることができ、説明されているシステムは単に本発明の１つの例示的な応用に過ぎない。さらに本発明はデータ処理、インターフェース、データ記憶、データ転送、コンポーネント制御及び構成等のための任意の数の通常の技術を使用できる。
【００１１】
図１を参照すると、本発明の種々の特徴による情報管理システムは兵器140とネットワークとの間のサービスの提供及び消費を容易にするネット化されたエレメント兵器サービス（ＮＥＷＳ）100を具備している。情報管理システムはセンサ、通信装置、兵器または他のエフェクタ、またはコマンド及び制御素子のようなネットワークに接続される任意の適切な素子と共に動作できる。情報管理システムはネットワーク化された素子と他のシステムとの間のネットワークを介する通信を容易にしている。情報管理システムは兵器システム140または他のシステムがネットワークと共に動作するように設計されていないが、代わりにより小さい専用の動作コンテキスト内の隔離素子として設計されまたは機能するレガシーシステムであってもよく、兵器システム140または他のシステムがネットワーク環境で動作することを可能にする。
【００１２】
ネットワークは通信を行うためのネットワーク素子間の一連の接続である。ネットワークは構内網、無線ネットワーク、またはピア・ツー・ピアネットワークのような種々のネットワーク素子間の通信を容易にする任意の適切なシステムを含むことができ、情報管理システムのアプリケーションまたは適合のための適切な特性を提供できる。例えばネットワークはグローバル情報グリッド（ＧＩＧ）150のような防衛関連ネットワークを含むことができる。ＧＩＧ150は戦略、作戦、戦術、ビジネスを含めた防衛、国家安全保障および関連する情報機関をサポートするために情報の処理、記憶、管理、転送を行うためのネット中心システムを具備することができる。ＧＩＧ150は基地、駐屯地、軍事施設、停留地、施設、移動体プラットフォーム、配備場所を含めた種々の作業位置から利用可能である。ＧＩＧ150は同盟、連携および非ＧＩＧシステムとインターフェースされることができる。ＧＩＧ150はさらに指令権、戦闘機、防衛人員、情報機関、ビジネス、政策立案者、非防衛ユーザに対して情報優位性、決定優位性、広範囲の優性を与えることもできる。
【００１３】
ネットワークは特定の環境、ミッションまたはアプリケーションと共に動作することができる。例えばＧＩＧ150はネット中心環境（ＮＣＥ）170と共に動作し、これは他の装置、ソフトウェアおよび／またはサービスへ情報を送信し、それらから情報を受信し、それらの間で情報を伝送し、またはそれらの間で情報を交換し、保持、組織化、発見、視覚化、情報保証と、または他の装置、ソフトウェア、サービスから受信されるかそれらへ送信されたデータ、情報または知識の整理を行い、または他の装置、ソフトウェアまたはサービスにより使用されるデータまたは情報を処理する任意のシステム、装置、ソフトウェアまたはサービスを含むことができる。ＧＩＧ  ＮＣＥ170はＬＡＮ、停留地域ネットワーク、戦術ネットワーク、作戦領域ネットワーク、ＭＡＮ、ＷＡＮを形成し、保証する資産を具備している。ＧＩＧ  ＮＣＥ170はまたエンドユーザ装置と、ワークステーションと、局部的、組織的、地域的または全般的な計算能力を与えるサーバとを含み保証するＧＩＧ資産も含んでいる。ＧＩＧ  ＮＣＥ170はさらにＮＣＥ170資産と、開発環境と、ＧＩＧ150で使用されるユーザ生産ツールに関連されるソフトウェアを含んでいる。
【００１４】
ネットワークは任意の適切なサービスとリソースを提供できる。ＧＩＧ  ＮＣＥ170はＧＩＧエンタプライズサービス（ＧＩＧ  ＥＳ）と呼ばれるエンタプライズ及びミッション特定サービスの共通のセットを含んでおり、これはＧＩＧにおける情報の意識、情報へのアクセス及び転送を行う。ＧＩＧ  ＥＳは個々の兵士までの低レベルのＧＩＧコンポーネントの基盤を提供するコアサービスの集合を設定する。ＧＩＧ  ＥＳは分配された記憶、情報保証、安全保障、協調、メッセージング、調停、サービス管理、発見、アプリケーションホスティング、ユーザアシスタンス、ノードとクライアントの接続のためのインターフェースを可能にする。しかしながら機能的コアサービスは任意の適切なサービスを含むことができる。
【００１５】
ＧＩＧ150は任意の適切な装置、コンピュータシステム、サービスの提供及び消費を行うことができる他のアクタと相互接続することができる。例えばＧＩＧ150はＧＩＧ150を介して、サービスおよび／またはデータを消費または提供する１以上のセンサノード210、コマンド及び制御ノード220、通信ノード230、エフェクタノード240のようなノードを含むことができる。ＧＩＧ150上のノードは、ノード間でのデータの直接通信のような、または情報を分配するために中間通信ノード230を使用することにより、相互にまたは他の装置と情報を通信するための任意の適切な方法を使用することができる。ノードは情報を提供および／または消費する装置を含むか、このような装置との通信を行うための接合部であってもよい。本発明の実施形態ではノードはＧＩＧ150上に存在するネットレディ点を含む。
【００１６】
本発明の実施形態では、センサノード210はレーダ、地震感知器、赤外線撮像ソース、衛星、インテルポスティング、標的システム、ＵＡＶ、スパイエレメント、気象センサまたは他のシステムのような情報の収集及び分配用のセンサを具備することができる。各センサノード210は入来するターゲットを検出するための赤外線カメラ、聴覚聴取装置、レーダの組合せを有する地上ベースの監視局のような１以上の個々のセンサ装置を具備することができる。センサノード210はＧＩＧ150に接続されているコンピュータ端末のオペレータ入力データのような、システムを動作する適切な人員を含むこともできる。センサノード210はＧＩＧ150で他のノードへ送信する準備をするため入来データに対して処理アルゴリズムを実行する等のための任意の他の適切な機能を行うことができる。ＧＩＧ150に接続されているセンサノード210からのセンサデータはポスティングを介してまたはデータ登録の使用によって任意の適切な方法で、ＧＩＧ150に接続されている１以上の他のノードを地球規模で利用可能にされることができる。
【００１７】
コマンド及び制御ノード220はネットワークエレメントのような種々のシステムによってコマンド及び制御を行う。例えばコマンド及び制御ノード220はセンサノード210から情報を処理し、適切な時に他のノードのサービスを受信しおよびリクエストすることができる。コマンド及び制御ノード220は任意の適当なシステム、装置、人員等を有することができ、コマンド及び制御ノード220はセンサ、兵器、通信システムおよび／または他の資産の配備を制御する等のためにＧＩＧ150上の他のノードと通信できる。コマンド及び制御ノード220は例えば特定の情報を集めるためのセンサノード210のリクエストを行い、受信された情報の処理において１以上の自動化されたアルゴリズムを利用し、結果としてエフェクタノード240を介して行動をリクエストすることができる。例示的な１実施形態では、コマンド及び制御ノード220はレーダステーションを含むセンサノード210から入来するターゲットについてのデータのサービスリクエストを行うことができるコンピュータシステムを具備することができ、レーダステーションはデータを集めそれをコマンド及び制御ノード220に中継して戻す。コマンド及び制御ノード220はその後、そのデータを解析し、ターゲットを破壊または不能にするために適切な発射ミッションを発生し、その後コマンド及び制御ノード220により特定されたターゲットへミサイルを発射するようにミサイルバッテリに命令する等のエフェクタノード240の適切なサービスリクエストを行う。
【００１８】
通信ノード230はＧＩＧ150に接続されている他のノードとの情報の通信に関するサービスを提供及び消費する。通信ノード230は通信を制御および／または実行するための任意のシステム、装置および／または人員を有することができる。例えば通信ノード230はＧＩＧ150上の種々の他のノード間でデータを中継する通信衛星を含むことができる。通信ノード230はまたｅメール、インターネット、無線通信装置、通信スイッチ、移動体通信システム、ＬＡＮ、ＭＡＮ、ＷＡＮ等のようなデータの送信及び受信に適している任意の他の装置を含むこともできる。通信ノード230は無線通信、バースト送信、暗号化および／またはＴＣＰ／ＩＰデータパケットのようなデータを通信するための任意の適当なプロトコルまたは方法を使用できる。
【００１９】
エフェクタノード240は兵器、軍事装置、標的システムまたはその他の装置のようなミッション目標を行うための所望なサービスを提供する。エフェクタノード240はコマンド及び制御ノード220からの命令に応答し、結果として適切な行動を取ることができる。例えばエフェクタノード240はコマンド及び制御ノード220により識別されるターゲットにミサイルを発射するミサイルバッテリを含むことができる。例えばエフェクタノード240はＧＩＧ150上の他のノードから受信された特定のコマンドにしたがって特定のターゲットを模索し、ナビゲートし、爆発させるように指令されることができる個々のミサイルを有することができる。多数のエフェクタノード240は十分で適切な火力が敵の脅威に誘導されることを確実にする等のために、それら自体または任意の他のノード間で調整することができる。
【００２０】
ネットワーク化されたエレメントはネットワークを介して情報を提供および／または受信するための任意の適切なシステムを具備することができ、１以上のノードを具備し、またはそれらに関連されることができる。防衛関連の実施形態では、ネットワーク化されたエレメントは通信システム、センサ、コマンド及び制御システム等のような戦術および戦略戦闘システムを具備することができる。本発明の例示的な実施形態では、ネットワーク可されたエレメントはミサイル、武装した無人航空ビークル、発射装置等のような兵器システム140を具備する。兵器システム140はＧＩＧ動作に適用するように構成されるか、ＧＩＧの配備前に開発されたレガシー兵器のようにＧＩＧ動作に無関係に構成されることができる。例えば兵器システム140はＳＭ−Ｘの不定の地対空迎撃ミサイル、非視線精密攻撃ミサイル（ＮＬＯＳ  ＰＡＭ）、小型の空中発射不定（ＭＡＬ−Ｘ）ミサイル、ＡＩＭ−Ｘシリーズミサイルのような空対空兵器、対機甲ミサイルまたはバッテリまたは他のシステムを具備することができる。代わりに、ネットワーク化されたエレメントはコマンド及び制御システム、通信システムまたはセンサシステムのような非兵器システムを含むことができる。
【００２１】
図２を参照すると、兵器システム140は選択された機能のための種々のサブシステムを含むことができる。例えば兵器システム140はレーダ、赤外線、ＬＡＤＡＲ（レーザ検出および測距）システムのような標的センサと、対気速度、高度、位置のようなナビゲーション情報のためのナビゲーションセンサと、内及び外気圧の読取りと気象条件等を測定する環境センサのような１以上のセンサを有するセンササブシステム142を含むことができる。兵器システム140はヒューズ／弾頭システム、ジャマー／おとりシステム、誘導されたエネルギ装置のような選択された効果を生成するためのエフェクタサブシステム148を具備することもできる。兵器システム140はさらにターゲット弁別、誘導、推進機能を制御するためのミッションコンピュータのような制御機能のための制御サブシステム144と、センササブシステム142中のターゲットおよびナビゲーションセンサおよび／またはエフェクタサブシステム148中の弾頭およびヒューズ制御装置を含むことができる。通信サブシステム146は物理的送信／受信チャンネルのためのデータ端末、コンポーネントデータフロー制御装置のような内部メッセージングエレメント、切換えおよび暗号化システムのようなネットワーク支援のような任意の関連する通信装置を含むことができる。
【００２２】
ＮＥＷＳ100は兵器システム140または他のエレメントがサービスを提供および／または消費するためにＧＩＧ150上のノードと相互動作することを可能にする。この実施形態では、ＮＥＷＳ100は同期的な兵器システム140の実時間性能を妨害せずに、同期的に動作するシステムを具備できる兵器システム140と、非同期のサービス指向環境を有するＧＩＧ150との間の通信及び制御を行う。ＮＥＷＳ100は実時間性能を妨害せずにＧＩＧ150のサービス指向環境内で実時間ソフトウェアが動作することを許容する。ＮＥＷＳ100は外部ＮＣＥ170と兵器システム140内の埋設された処理との間の関係を変換し、伝送し、管理する調停機能を行う。
【００２３】
情報管理システムは任意の適切な技術およびプロトコルにしたがってネットワークノード間の通信を促すことができる。１実施形態では、ＮＥＷＳ100はＧＩＧ150を介する通信のためのネットレディ標準ベースのインターフェースを提供する。ＮＥＷＳ100はオープンスタンダードベースのインターフェースの支援により、共通の論理アーキテクチャと情報及びサービス管理層を使用することにより多数の異なる兵器及び他のシステムに対してネットレディ能力を与えることができる。ＮＥＷＳ100はネットワークとネットワークエレメントの両者に対するコア管理サービス、ソフトウェア、アルゴリズム、接続方法を含むことができる。したがってＮＥＷＳ100は異なるシステムのネットレディコンプライアンスと、モジュール、ネットレディ兵器及び他のネットワーク化されたエレメントおよび／またはネットレディである多ミッション兵器の使用を容易にすることができる。
【００２４】
本発明の実施形態では、ＮＥＷＳ100は兵器システム140とＧＩＧ150との間にインターフェースを設けるための情報管理及びサービス層を含んでおり、十分にネットレディの兵器または他のネット化されたエレメントを提供するために構成されることができる。本発明のＮＥＷＳ100の情報管理およびサービス層は兵器システム140がネット中心環境で兵器サービスを行うことができるように、サービス指向アーキテクチャおよびオープンスタンダードベースインターフェースと共に構成される。ＮＥＷＳ100は情報を管理し、サービス指向アーキテクチャにしたがい、ネットレディ消費者とサービスの提供者に兵器を作るための適切な技術標準を使用することができる。さらにＮＥＷＳ100はサブシステムの提供者とは独立して、完全にネット化された兵器の実行可能な部分として関連するオープンスタンダードベースのインターフェースを含んでいる任意の兵器システムまたはサブシステムをサポートするように構成されることができる。したがってＮＥＷＳ100はＮＣＯＷ  ＲＭで規定されているネット命令されたサービス指向のアーキテクチャを支援する情報及びサービス管理ソフトウェアを戦場に提供する。ＮＥＷＳ100はネット中心動作と戦争情報統合要求により規定されるようなサービス指向アーキテクチャとオープンスタンダードベースのインターフェースにより駆動される十分なネットレディ兵器のアーキテクチャを提供する。
【００２５】
再度図２を参照すると、本発明の種々の特徴による例示的なＮＥＷＳ100はネット中心インターフェース120と兵器システムインターフェース130と通信するデータ処理システム110を含んでいる・データ処理システム110はサービスリクエストを兵器システム140から受信し、そこへのサービスリクエストを処理する。ネット中心インターフェース120はＧＩＧ150に接続されたノードにより使用するためのサービスに関連されるデータをフォーマットし変換する。
【００２６】
ネット中心インターフェース120はＮＥＷＳ100とＧＩＧ150の他のノードとの間の通信を可能にする。ネット中心インターフェース120はＧＩＧ150を介する情報の送信および／または受信のために任意の適切なハードウェアおよび／またはソフトウェアシステムを具備することができる。この実施形態では、ネット中心インターフェース120はＮＥＷＳ100がＧＩＧ150に接続される他のネットレディシステムに関してネットレディサービスを提供し消費することを可能にするために、ＧＩＧ150とデータ処理システム110との間に接続されているオープンスタンダードベースのインターフェースを具備している。
【００２７】
１つの例示的な実施形態では、ネット中心インターフェース120はＤｏＤのＮＣＯＷ  ＲＭとＮＲ−ＫＰＰ標準に適合するサービス指向アーキテクチャを含んでいる。ネット中心インターフェース120は他のシステム及び装置とも通信できる。例えばネット中心インターフェース120は別の装置がＮＲ−ＫＰＰ標準方式を使用して通信できないことを検出して、別の通信方法に切換えることができる。ネット中心インターフェース120はＮＲ−ＫＰＰ通信標準方式に適合する構造及びパケットを構築するためにＮＲ−ＫＰＰに適合しない兵器システム140により提供される解析データのようなネットレディシステムと通信するために必要な任意の方法でデータを処理できる。
【００２８】
兵器システムインターフェース130はデータ処理システム110と兵器システム140との間の通信を可能にする。兵器システムインターフェース130は無線ネットワークによって送信されるデータパケットを通してまたはハードワイヤ接続を介してのような任意の適当な方法で兵器システム140と通信できる。１実施形態では、兵器システムインターフェース130はＮＥＷＳ100と兵器システム140との間にオープンスタンダードの適合するインターフェースを具備している。兵器システムインターフェース130は兵器システム140および／または兵器サブシステムの任意の適切な装置と通信することができる。本発明の種々の特徴による例示的な１実施形態では、兵器システムインターフェース130はデータ処理システム110とセンササブシステム142、制御サブシステム144、通信サブシステム146、および／または兵器システム140のエフェクタサブシステム148との間の通信を可能にする。
【００２９】
兵器システムインターフェース130は兵器システム140との任意の適切な通信レベルを与えることができ、兵器システム140は兵器システムインターフェース130に適合するように適切に変更されることができる。ネット中心能力の種々のレベルはＮＲ−ＫＰＰ標準方式との最小のコンプライアンスから十分に開発されたネットレディ兵器システム140までの範囲でＮＥＷＳ100と共に兵器システム140で実行されることができる。例えば兵器サブシステム142、144、146、148と兵器システムインターフェース130との間の通信は兵器システム140のソフトウェアおよび／またはハードウェアに対する変更を必要とすることもある。
【００３０】
インターフェース管理装置114はネット中心インターフェースとの適合性の任意のレベルを支援できる。１実施形態では、兵器システム140統合の４つのレベルがネット化されたエレメント兵器サービス100のアーキテクチャによりサポートされる。低レベルの構成では、兵器システムインターフェース130は兵器システム140の内部データがＮＥＷＳ100に利用可能にされるように兵器システム140に接続されることができる。例えばハードウェアとソフトウェアはデータをＮＥＷＳ100に露出するために兵器システム140に付加されることができる。兵器システムインターフェース130は、ソフトウェアガスケット、ラッパーまたは兵器システム140のデータ流が兵器システムインターフェース130を介して露出されることを可能にする他の構造等を使用して、ＮＥＷＳ100と兵器システム140との間で通信するためのデータを変更することができる。
【００３１】
第２のレベルで、ソフトウェアが兵器システム140とＮＥＷＳ100との間に入力／出力能力を付加するために兵器システム140に付加されることができる。第３のレベルはＫＰＰ−ＮＲ標準方式による部分的な構造を含んでおり、例えばここでは他のデータのコンポーネントまたはサブシステムは更新されないが、兵器システム140の幾つかのハードウェア及びソフトウェアコンポーネントまたはサブシステム142、144、146、148が十分にＫＰＰ−ＮＲインターフェース標準方式に準じるように完全に更新される。第４のレベルでは、兵器システム140の各及びそれぞれのコンポーネントはＫＰＰ−ＮＲ標準方式と十分に適合される。
【００３２】
多数の統合レベルが同じ兵器システムインターフェース130と兵器システム140内に存在できる。例えば兵器システム140の幾つかのコンポーネントはそれらのデータ流を露出するために第１の統合レベルで更新されることができ、他のコンポーネントはコンポーネントとネット化されたエレメント兵器サービス100との間の両方向通信を可能にするために第２の統合レベルで更新されることができる。
【００３３】
データ処理システム110は兵器システム140により提供され消費されるサービスの内部リソースを管理し、ネット中心インターフェース120と兵器システムインターフェース130を通して送信及び受信された情報を処理し、および／または兵器システム140へまたはそこからのサービスリクエストの送信を監視する。データ処理システム110はＧＩＧ150と兵器システム140との間の相互動作を行うためにソフトウェア、ハードウェアまたはそれらの組み合わせのような任意の適切な方法で構成されることができる。例えばデータ処理システム110は兵器システム140に関連されるリソースを管理し、兵器システム140と他のシステムとの間の通信を制御するためのシステムを含むことができる。１つの例示的な実施形態では、データ処理システム110は兵器システム140のリソースの使用を管理するためのリソース管理装置112と、兵器システム140との通信を行わせるためのインターフェース管理装置114と、ＧＩＧ150との通信を管理するための通信管理装置116を含んでいる。
【００３４】
データ処理システム110は異なるシステムのアレイに対する適合を行うことができる。例えばリソース管理装置112、インターフェース管理装置114、通信管理装置116は規定された標準ベースのオープンインターフェースにより任意の適合する兵器ハードウェアまたはソフトウェアサブシステムまたはコンポーネントに対する動作を行わせ、ネット化されたエレメントの物理的サイズ及び電力制約のような種々の要求を満たすことができるサブシステムの「プラグ＆プレイ」能力または再使用の程度を可能にする。データ処理システム110は新しい技術標準方式に基づいた兵器サブシステムインターフェースの更新に対する設計及び価格の影響を最小にして、インターフェースとの動作と最終的なミッション特定調整への拡張能力を与える層化方法と、能力が付加されたときの兵器成長経路を与えることができる。
【００３５】
インターフェース管理装置114はＫＰＰ−ＮＲコンプライアントネット中心インターフェースと兵器システム140との間に変換層を設けることによって兵器システム140がＮＥＷＳ100と通信することを可能にする。ＮＥＷＳ100はオープンスタンダードベースのインターフェースをサポートし、兵器システム、サブシステムまたはコンポーネントの提供者が、サブシステムに対して透明なネット化された兵器サービスとネットレディコンプライアンスの管理によって、インターフェース規定を満たすことによって価格が効率的なネット化された兵器（ネットレディコンプライアント）に貢献することを可能にし、さらにレガシーシステムの価格が効率的な転移または部分的な能力を可能にする。したがって、ＮＥＷＳ100は部分的にネット化された能力と十分にネット化された兵器能力へ拡張可能な経路を与えるために開発及び装置価格に対する影響を最小にしてレガシーシステムで実行されることができる。
【００３６】
インターフェース管理装置114はソフトウェアおよびハードウェアシステム、装置、他の適当なコンポーネントの任意の適切な組合せを具備することができる。インターフェース管理装置114による兵器システム140からのデータの変換はソフトウェアアダプタおよびラッパーを通す等により任意の適切な方法で行われることができる。例えばインターフェース管理装置114はネットレディＫＰＰを満たすために管理層で制御された内部兵器インターフェースを与えるように構成されることができる。本発明の１例では、ソフトウェアおよび／またはハードウェアは兵器システム140に対して通常内部のデータ及び信号を露出し、ＮＥＷＳ100とネット中心環境からのデータを兵器システム140により使用されることができるフォーマットへ変換するために付加されることができる。インターフェース管理装置114はシステム登録のためアダプタを通してリソース管理装置112と、その後アプリケーションアダプタとレガシーコードのラッピングへアクセスを与えることができる。兵器システム140からのデータはインターネット上でウェブページインターフェースを通す等、任意の適切な方法によりＧＩＧ150へ接続されているノードに露出されることができる。インターフェース管理装置114はしたがって共通性及び再使用からの付随する利点を有する新スタート兵器設計だけでなく、外部ユーザにデータを露出する目的で設計されていないレガシーストーブパイプサブシステムに対してミドルウェアを提供することによりレガシー兵器に対しても標準ベースのインターフェースを可能にする。インターフェース管理装置114の適合及び構成は多数のタイプの統合を可能にし、価格の効率性またはその他の規準の結果にしたがって行われる。
【００３７】
リソース管理装置112は兵器システム140により提供され消費されるサービスのための内部リソース管理を行う。リソース管理装置112は管理サービス、ソフトウェア、アルゴリズム、接続方法をＧＩＧ150と兵器システム140の両者に対して実行できる。リソース管理装置112はまた兵器140中のハードウェアおよびソフトウェアシステムの両者を管理できる。ネット中心環境170中のグローバルリソース管理はコア事業サービスおよびネット動作の一部として処理されるが、これらはサービスの提供者および消費者としてノード資産自体の全てのリソース管理要求を解決しない。リソース管理装置112は兵器システム140または他のネットワーク化されたエレメントのタイプにかかわりなく、ＧＩＧ150と共に兵器システム140に対するサービスを透明に提供及び消費するように適切に構成される。リソース管理装置112は外部の戦場へ提供され消費される透明なサービスの露出を可能にするため、種々のサブシステムへのシステムインターフェースを有する自動化された制御コアを通して動作することができる。
【００３８】
リソース管理装置112はネット化されたエレメントとしてサブシステムハードウェアおよびソフトウェアをサブシステムインターフェースを介して効率的に提示する。本発明の実施形態では、リソース管理装置112は提供され消費されるサービスを考慮するためにローカルシステム登録を使用する。ローカルシステム登録はＮＥＷＳ100内に埋設されるかＮＥＷＳ100と通信できる。ローカルシステム登録は兵器システム140のタイプまたは他の識別子、兵器システム140の状態、兵器システム140を介して利用可能なサービス、サービスリクエストに対する予測される応答時間および／または兵器システム140により消費されることができるサービスの記述のような兵器システム140に関する任意の適切な情報を提供できる。この実施形態では、ローカルシステム登録は兵器システム140の能力を決定するためＧＩＧ150の他のエレメントにより使用されることができる兵器システム140の識別子を提供する。本発明のローカルシステム登録は兵器システム140のタイプに関連されるいずれのサービスが現在ＮＥＷＳ100に関連される特定の兵器システム140で現在利用可能であるかの説明のような兵器システムの状態も提供する。したがって、特定のシステムが提供できるサービスはシステムの配備前、動作の使用または（兵器ならば）発射の直前、または飛行中に規定されポピュレートされる。本発明のローカルシステム登録はＮＥＷＳ100がリクエストされたサービスが利用可能であるときに、このサービスが利用可能である外部ユーザと内部システムに応答することを可能にするサービス説明を与える。
【００３９】
図４を参照すると、この実施形態では、リソース管理装置112はＧＩＧ150を介して受信され送信されたサービスリクエストを処理し管理し、中心自動化制御コアを含み、兵器システム140とＧＩＧ150を制御しこれらと相互動作するエレメントを含む。例えばリソース管理装置112は自動化された制御コア310、センサコア320、通信コア330、および／またはエフェクタコア340を具備することができる。種々のコア310、320、330、340はノード間システムインターフェースとして動作し、兵器サブシステム142、144、146、148およびＧＩＧ150上のノードがサービスを提供し消費するように相互動作することを可能にするために組み合わせることができる。リソース管理装置112は通信コア330、センサコア320、エフェクタコア340と共に動作する自動化された制御コア310における透明なサービスの提供と消費を行わせることができる。ＮＥＷＳ100はしたがって任意のコンプライアントな兵器サブシステムとの相互動作を可能にする。
【００４０】
自動化された制御コア310は兵器システム140と、ＧＩＧ150に接続されたノードとの間の制御サービスの提供と消費を管理する。自動化された制御コア310は、ＮＥＷＳ100インターフェースをサービス及び情報管理層で制御し、兵器システムインターフェース130を管理する等の、兵器システム140を制御および／またはそれと通信するための任意の適切な機能を行うことができる。自動化された制御コア310はオープンスタンダード兵器システムインターフェース130を介して兵器上のセンサ、制御、通信、エフェクタサブシステム142、144、146、148に対する自動化された制御管理を行うことができる。例えば、自動化された制御コア310はＧＩＧ150へ与えられるかそこからリクエストされた情報を決定し、センサ、制御、通信、エフェクタサブシステム142、144、146、148とセンサコア320、通信コア330、エフェクタコア340のようなローカル兵器システム140リソースを管理するようなローカルコマンド及び制御機能を行うことができる。
【００４１】
例えば自動化された制御コア310はＧＩＧ150を介して受信された配備コマンドに応答して兵器システム140を制御することができる。さらに自動化された制御コア310はＧＩＧ150の他のノードからサービスをリクエストすることができる。例えば、ミサイルの自動化された制御コア310はセンサノード210からセンササービスをリクエストでき、これはミサイル自身のセンサコア320および／またはセンササブシステムにより提供されるデータに加えてターゲット情報を集めるためにＧＩＧ150に接続されている地上ベースのレーダシステムを具備することができる。自動化された制御コア310は種々のソースからのデータを組み合わせることもできる。さらに多数のノードの自動化された制御コア310は他の適切な結果をより迅速で効率的に決定または実現するためにデータ処理能力及び制御サービスを組み合わせることができる。
【００４２】
自動化された制御コア310は兵器システム140を制御するために兵器システムインターフェース130を管理することもできる。例えば自動化された制御コア310は兵器サブシステム142、144、146、148および／またはセンサコア320、通信コア330、エフェクタコア340からデータ及びコマンドのリクエストを受信でき、自動化された制御コア310はＧＩＧ150を介して処理および／または送信することができる。自動化された制御コア310はまたＧＩＧ150を介して受信された応答を中継するか、ＧＩＧ150を介して受信されたアルゴリズムおよび／または応答を局部的に作動するために適切なコマンドを発生することもできる。自動化された制御コア310は兵器システムインターフェース130および／またはセンサコア320、通信コア330、エフェクタコア340を介して、誘導システム、制御システム、推進システム、センササブシステム142中のターゲット及びナビゲーションセンサ、および／またはエフェクタサブシステム148中の弾頭及びヒューズ制御装置を動作するための制御サブシステム144中のミッションコンピュータのような、兵器サブシステム142、144、146、148と通信する。
【００４３】
１つの例示的な実施形態では、自動化された制御コア310はミサイルの誘導及び推進システムに関連する制御サービスを管理する。例えばミサイルの自動化された制御コア310はセンサコア320により集められたデータを採取し、１以上のターゲット弁別アルゴリズムを動作させ、ターゲットが最適のターゲット交戦およびターゲット捕捉時間の弁別レベルのようなファクタにしたがって適切に識別されているか否かを決定できる。自動化された制御コア310はセンサコア320から受信されたデータを補充するためにＧＩＧ150を介して付加的なターゲットデータをリクエストし、ターゲットにおける効果を最適にするために誘導およびエフェクタシステムを調節することができる。
【００４４】
センサコア320はセンサ装置および兵器システム140のコンポーネントから受信されたデータを管理する。例えばセンサコア320は自動化された制御コア310および／またはセンササブシステム142からのリクエストに応答して、ターゲット、ナビゲーション、および環境データのようなセンササブシステム142からのターゲットに関するデータを集めることができる。センサコア320は自動化された制御コア310および／またはＧＩＧ150に関するサービスを提供し消費するためのノードとして動作できる。センサコア320は兵器システム140のセンサおよびデータタイプにしたがって構成されることができ、自動化された制御コア310による使用のためにデータ流を変換しダイナミックにセンサリソースを割当てるような、自動化された制御コア310とセンササブシステム142の間の相互動作を容易にするために、自動化された制御コア310とセンササブシステム142との間に制御インターフェースを設けることができる。
【００４５】
通信コア330はＮＥＷＳ100が兵器システム140中の通信サブシステム146のような任意の他の適切なシステム及び装置とインターフェースすることを可能にするための全ての適切なデータインターフェース標準方式をサポートする。通信コア330は自動化された制御コア310および／またはＧＩＧ150に関してサービス提供者及び消費者として動作でき、通信要求を満たし、ＧＩＧ150と兵器システム140のような関連するノードインターフェースのデータ標準方式をサポートすることができる。本発明の実施形態では、通信コア330は通信サブシステム146のリソースを制御するように自動化された制御コア310と通信サブシステム146との間の相互動作を行わせるために通信サブシステム146と通信する。通信コア330は自動化された制御コア310とエフェクタコア340とセンサコア320との間のデータ流のようなデータ処理システム110の内部メッセージングを管理することができる。
【００４６】
エフェクタコア340はヒューズ／弾頭、ジャマー／おとりシステム、誘導されたエネルギ装置のような兵器システム140のエフェクタサブシステム148と相互動作する。エフェクタコア340は自動化された制御コア310のような任意の適切なソースからのコマンド及び信号に応答できる。エフェクタコア340は自動化された制御コア310および／またはＧＩＧ150に関してノードインターフェースに対するサービス提供者及び消費者として動作でき、関連するコア兵器システムエフェクタデータタイプとダイナミックリセットをサポートするように構成されることができる。この実施形態では、エフェクタコア340はエフェクタサブシステム148のリソースを制御するために、自動化された制御コア310とエフェクタサブシステム148との間の相互動作を行わせるためにエフェクタサブシステム148と通信する。例えばミサイルの自動化された制御コア310は、特別なコマンドおよびＧＩＧ150に接続された制御ノード230から権限の与えられたコマンドが受信されるまで、ミサイルの弾頭を装備するようにエフェクタコア340に命令するのを控えることができる。
【００４７】
通信管理装置116はＮＥＷＳ100とＧＩＧ150との間の通信を管理する。ネット中心環境でのグローバル通信管理は、処理及び貯蔵要求の開放を可能にするが戦術ユーザの帯域幅が限定されているために全ての通信管理の制約を解決しない共通及び同一の重要な特定サービスを提供することによって、戦術ユーザに必要な帯域幅の減少を含めたコア事業サービスおよびネット動作の一部として処理される。通信管理装置116は任意の選択された規準および技術にしたがって通信を管理することができる。例えば、通信管理装置116は兵器システム140によりサービスを提供または消費することに関係する帯域幅のオーバーヘッドを最小にすることができる。
【００４８】
この実施形態では、通信管理装置113は他のネット中心ノードでホストされているＮＥＷＳ100またはＮＥＷＳ「エージェント」が設けられている他のシステムのような他のシステムと通信するローカルシステム登録を使用するように構成されることができ、それによって多くの状況では、本来ならば必要とされる生のデータの完全な送信を必要とせずにネットレディノードとしてサービスを提供および消費する。ＮＥＷＳ100は調節されたＮＥＷＳエージェントまたは複製されたソフトウェアとの管理されたインターフェースをコマンドおよび制御、通信、センサノード230、202、210のような他の兵器または非兵器ノードにホストすることによって、ユニバーサルなネットレディシステムがない転移のための部分的にネット化された兵器能力を提供することができる。通信管理装置113は標準ベースのインターフェースをサポートするように構成されることができ、それによってＮＥＷＳの調整されたバージョンを他の戦場ノードにホストすることにより完全なネットレディシステムへのパスの転移能力を可能にし、完全なＧＩＧ事業サービスおよびＧＩＧインフラストラクチャが配置される前にネット化された兵器との次善策のインターフェースを可能にする。
【００４９】
この実施形態では、通信管理装置116は例えばメタデータと無駄のないメッセージを使用してリクエストされた情報を再構成することによって、通常必要とされる生のデータの完全な送信を必要とせずに、ネットレディシステムがサービスを提供及び消費することを可能にする。さらに、通信管理装置116はリクエストされたデータのセット全体ではなく更新されたデータ（最後の送信から変更されているデータ）のみを送信することにより帯域幅の要求を減少することができる。減少された帯域幅の通信は、メタデータおよび無駄のないメッセージに基づいてＮＥＷＳエージェントを使用して非兵器ノードでリクエストされた情報を再構成するか、および／または帯域幅が重要性および適時性規準を満たすことで飽和されるときデータが送信のための手段を購入する入札構造等によって任意の適切な方法で行われることができる。
【００５０】
通信管理装置113は任意の適切な方法で任意のフォーマットでデータを通信できる。例えばミサイル中の通信管理装置113はグローバル情報グリッド150へ接続された他のノードが実時間でミサイルの位置を追跡することを可能にするために、ミサイルのアイデンティティ、状態およびその他の遠隔測定データをポストできる。通信管理装置116によりポストされたデータはターゲット選択の中で兵器混合割当てを最適化する等のために任意の他の適切な目的で使用されることができる。本発明の１つの例では、ＮＥＷＳ100を使用する多数のミサイルはユーザプロフィールを通して事業情報環境へ登録し、それは例えば発射前またはミッション期間中に各ミサイルにプログラムされた交戦の規則に部分的に基づいてミサイルの役目を認可する。
【００５１】
本発明の１実施形態では、通信管理装置116はターゲットがそれを破壊するのに十分な火力で交戦することを確実にするために他の兵器システム140との間のその場での通信におけるポスティングおよび変換をサポートする。別の例示的な実施形態では、通信管理装置116は、ＫＰＰ−ＮＲコンプライアントサービスリクエストを使用することにより、ＧＩＧ150に接続された多数のノードから接近する敵の部隊についてのインテリジェンスデータを検索することを容易にすることができ、これは他の低い優先順位のリクエストよりも前に迅速に検索されなければならないデータを他のノードに示すための優先順位フラグを含んでいる。
【００５２】
通信管理装置116は任意の適切な通信システムと共に動作できる。例えば通信管理装置116はＧＩＧ150との通信を行うために兵器システム140の146の通信サブシステムに関連する通信システムを制御できる。代わりに、通信管理装置116は兵器システム140の146の通信サブシステムを補充または置換するためにＮＥＷＳ100に組み込まれた通信システムのような別々の通信装置を介して通信を制御できる。
【００５３】
動作において、ＮＥＷＳ100はＧＩＧ150を介して通信を可能にするために兵器システム140に接続される。接続後、ＮＥＷＳ100は対応する兵器システム140の状態および／または位置に関するデータを提供できる。付勢時に、兵器システム140はＧＩＧ150を介して監視および／または制御されることができる。
【００５４】
例えば兵器システム140とＮＥＷＳ100は通信し、所望のレベルの通信を行うように構成されることができる。ＮＥＷＳ100は兵器システム140からのレガシーコンポーネントの再使用と露出を最適化するように調整されることができる。ＮＥＷＳ100は兵器システム140の内部データ流を露出し、および／またはＮＥＷＳ100とのより頑丈な２方向相互通信のための兵器システム140の内部アプリケーションを露出するための層化されたインターフェースを発生するために、ハードワイヤインターフェースに付加されているアダプタを介して兵器システム140へ接続されることができる。ＮＥＷＳ100を介してエネーブルされる機能と付加されるコンポーネントは価格と物理的な形状因子のような任意の適切な規準に従って選択されることができ、ＮＥＷＳ100層の機能の出版されたオープンインターフェース標準により助長されることができる。選択された機能及びコンポーネントは例えば機能を層化しＮＥＷＳ100により再構成を推進することにより兵器システムの拡張能力全体に貢献する。さらに開発および動作試験期間に、ＮＥＷＳ100は例えば研究所及び実地試験ユニットにおける簡単でコンパチブルなウェブインターフェースを介して監視及び検査を可能にする。
【００５５】
発射前に、ＮＥＷＳ100は選択されたデータをコマンド及び制御エレメントへ提供することができる。例えばＮＥＷＳ100は対応する兵器システム100の実時間追跡のためにあらゆる配備点にローカル無線ハブのアイデンティティメタデータと状態をポストすることができる。位置及び状態に関するデータを提供することにより、ＮＥＷＳ100は最終的に配備される位置への兵器混合割当ての最適化を可能にする。さらに、発射装置への装着またはその他の付勢の準備の前に、各兵器システム140上のＮＥＷＳ100は強化されるミッションの信頼性のためにデジタルＢＩＴ結果をポストでき、サブシステムの結果は装着サイト試験システムのウェブブラウザインターフェースを通してリクエストにおいて利用可能である。
【００５６】
戦場配備のような付勢のために、ＮＥＷＳ100はＧＩＧ150を介する監視および／または制御機能を行うためにＧＩＧ150と共に動作することができる。その動作は特定の兵器システム140またはＮＥＷＳ100に関連される他の装置にしたがって適合されることができる。以下の例はＮＥＷＳ100を介する資産の監視及び制御のための種々の可能な動作を示している。
【実施例１】
【００５７】
ＮＥＷＳ100は、弾道ミサイル防衛のためＳＭ−Ｘ改良型のような地対空迎撃装置に関連されることができる。迎撃装置はターゲットセットの弁別と実行を最適化するため、発射時に認可されたミサイルからの自動化された制御サービスに基づいて、例えば飛行中に他の戦場システムからサービスをリクエストし受信するためにＮＥＷＳ100を介してＧＩＧ150上で自動化された制御サービス消費者として動作することができる。
【００５８】
特にセンサは入来する弾道ミサイルの攻撃を検出でき、ＳＭ−Ｘ兵器の一斉発射はミサイルの明白なターゲットの保護フットプリントに配備されている海軍の軍艦から行われる。入来する弾道ミサイルは多数の弾頭、おとり、ゴミに分離する。ＳＭ−Ｘ兵器は種々の規則にしたがってＳＭ−Ｘ兵器の制御を設定するためにＧＩＧ150にコンタクトする。例えば、兵器はＧＩＧ150を介してユーザプロフィールを通してＮＣＥ170へ登録でき、初期の発射決定に組み込まれた交戦の方策または規則に基づいて認可された役目をする。
【００５９】
発射後、ＳＭ−Ｘ兵器はセンサを付勢し、ターゲット弁別アルゴリズムを開始する。各ＳＭ−Ｘ兵器に関連されるＮＥＷＳ100の自動化された制御コア310は最適なターゲット交戦のための所望される弁別レベルを満たすために必要とされる付加的なデータの弁別特性と品質を決定する。ＮＥＷＳ100はその後、正しいタイプの情報と共に、迎撃時間のようなサービス品質（ＱｏＳ）制約内で提供者からのセンサ及び処理サービスのためのタグ付けされたサービスリクエストをＧＩＧ150を介してＮＣＥ170へ与える。
【００６０】
兵器からのリクエストに応答して、事業サービスは米軍からの地上レーダの形態のセンササービスおよび海軍の軍艦及びインテリジェンスリーチバックシステムからの処理及び融合能力を結合した形態の制御サービスのような種々の資産を自動的に限定することができる。弁別概要およびデータタイプを規定する世界的に利用可能なメタデータ登録中のＳＭ−Ｘ兵器エントリに対するアクセスを通して、限定されたサービス提供者は最良の利用可能なリクエストされたデータにより、評価されたネットワーク路時間を含めたＱｏＳ要求内で返答する。データは自動化された制御コア310により必要とされる形態で最も最新の特性に減少されることができる。
【００６１】
リクエストされたデータを受信するとき、ＳＭ−Ｘ兵器に関連するＮＥＷＳ100はセンサコア320にセンササブシステム142からの最新の機上データを提供するタスクを与え、自動化された制御コア310が予測される弾道ミサイルの弾頭への兵器割当ての最適な選択を行うために機上ではないサービスデータと融合することができる。通信コア330は入来する弾頭を適切に迎撃するように弾道ミサイル弾頭間で有効なＳＭ−Ｘミサイルに最適にタスクを与えるために、ＮＣＥ170上の関係するサービスの兵器割当てコミュニティに基づいて、その場の母機のトップを競う構成または機上ではない割当てのポスティングと変換をサポートする。
【実施例２】
【００６２】
ＮＥＷＳ100は例えば優秀な敵の部隊からの攻撃下で作業する地上部隊をサポートするために改良された精密攻撃ミサイル（ｉＰＡＭ）のセットに関連されることができる。飛行中、ｉＰＡＭ兵器は脅威のある敵の部隊を標的にするための適時の要件を満たすためにＧＩＧ150を介して他のリソースを消費する戦闘機のタスクにより与えられる認可された役目を使用することができる。
【００６３】
例えば、地上部隊アルファ（ＧＦ−Ａ）は優れた敵の部隊と交戦するとき航空支援または砲兵支援が参加せずに敵の制御領域を移動している。撤退するために、ＧＦ−Ａは敵の部隊の迅速な抑制を必要とする。ＧＦ−Ａは攻撃を受けるユニットの高い優先順位とＧＦ−Ａの状態に対応してメタデータの優先順位フラグによりＮＣＥ170の砲火支援のサービスリクエストをポストする。
【００６４】
優先順位フラグは事業サービスにＧＦ−Ａリクエストが迅速な処理と高いリソースの優先順位を必要とすることを通知する。事業サービスは関係するパーティによるスマートプール（smart pull）のため事業システム中でタグ付けする適切なソースおよび状態で敵の部隊についての新しい情報をポストすることができる。ＧＩＧ150の自動リソース管理者は敵の部隊についての早期にポストされたインテリジェンスを引き下ろし、最良のサービス提供者が味方を損傷させる潜在性を考慮して正確を期して選択されたｉＰＡＭを伝送する非視線発射システム（ＮＬＯＳ−ＬＳ）を有する陸軍部隊であることを決定する。
【００６５】
タスクへの割当てのとき、リソース管理装置はＮＬＯＳ−ＬＳに関連されるＮＥＷＳ100へミッション情報を伝送する。ＮＬＯＳ−ＬＳのリソース管理装置112は発射ミッションを発生し、センササービスリクエストと敵の位置および状態に関する事業サービスデータプールに応答して受信された情報に基づいてｉＰＡＭの適切な数を評価する。ＮＬＯＳ−ＬＳはｉＰＡＭを発射し、ＮＬＯＳ−ＬＳ  ＮＥＷＳ100は結果的な発射ミッションとＦＧ−Ａへの活動コースに関する情報を送信する。ＧＩＧ150上のリソース管理装置はその場に割当てられたネットワークリソースを、サービス消費者としてのＧＦ−Ａと、サービス提供者としてのｉＰＡＭに関連されるＮＥＷＳ100へ限定することができる。
【００６６】
ＧＦ−Ａがターゲット位置に近いために、ミッションは初期サービスリクエスト中のフラグ「危険が迫る状態」に関連されることができる。このフラグは更新されたコマンド認可及びターゲット状態がｉＰＡＭのＮＥＷＳ通信コア330へ送信されるまで、ｉＰＡＭが武装することを可能にしない制約のようなミッションパラメータとしてｉＰＡＭ  ＮＥＷＳ自動化制御コア310により自動的に処理されることができる。各ｉＰＡＭの自動化された制御コア310は５分間ウィンドウ内でより大きなネットワークリソースに対するＮＣＥ170へサービスリクエストをポストすることができ、それによってミッションの成功の確率を最大にするためにコマンドの認可及びターゲットの更新を送信する機会をＧＦ−Ａに与える、
事業サービスはリクエストを処理し、ＧＩＧ150帯域幅及び他のノードからのセンササービスのような、ダイナミックリソースを必要なときに割当てることができる。関連する時間フレーム内で、ＧＦ−ＡはｉＰＡＭグループによる最適なターゲット遂行の画像特性のような攻撃および最新のターゲットデータの最終的な認可をポストする。認可及び新しいターゲット画像データはＧＩＧ150を介して受信され、最高の優先順位のターゲットの画像データのようなセンサコア320へ送信される制御データを有するｉＰＡＭ  ＮＥＷＳの自動化された制御コア310と、タグ付けされた衝撃査定等のための通信コア330と、潜在的な味方の損傷の減少の効果レベルを管理する等のためのエフェクタコア340により処理される。発射ミッションの実行の成功時に、ＧＦ−Ａは撤退し、ルートを変更することができる。
【実施例３】
【００６７】
ＮＥＷＳ100は小型の空中発射改良型（ＭＡＬ−Ｘ）ミサイル群の各ミサイルと関連付けされる。このシナリオでは、ミサイルはデフォルトミッション目標へ向かうロイター可能な巡航ミサイルの調整されたグループとして動作している。飛行中、アイドル処理とセンサ能力は許される学理上の制約と共にデフォルトミッションの継続により与えられる制限内で許可された戦闘機がセンササービスの運行を行うことを可能にする。
【００６８】
デフォルトミッション目標への旅程で、静止した敵の形成に関するサービスリクエストは認可された戦闘機によりログされる。サービスリクエストは敵の形成に対して調節されたグループからのセンササービスを要求し、敵の形成はグループの飛行路に近いと推測されている。ミサイルグループに対する戦闘機の認可は自動化されたリソース管理アルゴリズムを開始し、主にセンサ能力を有するＭＡＬ−Ｓの小さい内蔵の構成されたグループに対して新しい目標へ分離するようにＮＣＥ170に命令させる。その命令は新しいグループの各ＭＡＬ−Ｘミサイルに対してＮＥＷＳ100により受信され、各ミサイルの自動化された制御コア310は新しい目標にしたがってミサイルのコースを調節し、センサコア320を介してセンササブシステム142中のミサイルセンサを付勢する。自動化された制御コア310またはＮＣＥ170は燃料の状態、位置、ＢＩＴの危険レベル、機上能力に基づいて新しいその場の母機を割当てる。指定されたＭＡＬ−Ｓ母機の自動化された制御コア310はデフォルトセンササービスプランを有する新しい飛行プロフィールを通信コア330と通信管理装置116を介してグループへ提供し、ミサイルのセンサコア320はしたがってそれらのセンササブシステム142を調節する。
【００６９】
新しい目標への経路で、ＭＡＬ−Ｘセンササブシステム142はインテルに基づいて、疑われていたが前もって確認されていない潜在的に高い値のターゲットを有する敵の動きを検出する。ＭＡＬ−Ｓグループは疑われている敵のビークルの十分な監視を行い、直接のセンサデータと処理されたＩＤ評価の組合せをポストする。センサデータ、特徴、利用可能性はセンサコア320を介して自動化された制御コア310へ送信され、それは情報を通信コア330および／または通信管理装置116を介してＮＣＥ170へポストする。
【００７０】
情報の受信時に、事業サービスはミサイルからの新しいデータを先のデータと融合することによって護衛隊の２つのビークルが敵のＷＭＤ発射システムであることを高い自信度で確認する。人間の権威者等の適切なコマンド及び制御エレメントはターゲットを遂行するように決定し、事業サービスは交戦の規定された規則またはその他の方策内で非常に高い優先度を有するエフェクタサービスをリクエストする。敵の形成に対して最も近い攻撃用戦闘機の翼上のレーザ誘導爆弾は戦闘機によりポストされたタイミングと状態で数秒内に発射される。
【００７１】
事業サービスはエフェクタサービスの要求に基づいて、ステーションのＭＡＬ−Ｓグループからセンササービスの提供者機能をリクエストする。このリクエストは通信コア330および／または通信管理装置116を介して母機の自動化された制御コア310により受信され、ＮＥＷＳ100を介してターゲット指定タスクを１以上のＭＡＬ−Ｓミサイルに割当てる。タスクを受けたＭＡＬ−Ｓミサイルは標的レーザによって２つの敵のＷＭＤ発射装置にターゲットを指定する。爆弾はレーザに狙いを定め、ターゲットを破壊する。爆弾の爆破後、ＭＡＬ−Ｓグループはセンササブシステム142を介して選択されたスペクトルにわたって戦闘損害評価を行い、通信コア330および／または通信サブシステム146を介して関連データをポストすることができる。
【実施例４】
【００７２】
ＳＯＦユニットは夜間の状態下で、敵地において次のチェックポイントに操縦される。その行程で、飛行路を飛んでいる未知の能力を有する敵のＵＡＶが検出される。ＳＯＦは、その状態下で良好な可視状態であり潜在的にＳＯＦユニットが存在することを敵に知らせるおそれのある高性能の爆薬なしに、動的な爆破を実現するための調節可能な破壊能力によってＮＣＥ170からエフェクタサービスをリクエストする。
【００７３】
関係する事業サービスの兵器集中コミュニティはＳＯＦユニットの認可された役目を承認し、近くの戦闘機のプラットフォーム上の多数のＡＩＭ−Ｚの空対空ミサイルに関連するＮＥＷＳ100へリクエストを誘導し、ターゲットの遂行のためのエフェクタ資産としてミサイルを限定する。ＳＯＦユニットはターゲット更新と必要とされるエフェクタサービスレベルをＮＥＣ170へポストする。ＡＩＭ−Ｘ兵器は通信サブシステム146、通信コア330、および／または通信管理装置116を介してＮＣＥ170からサービスリクエストを受信し、ＮＥＷＳの自動化された制御コア310は、例えばサービスの要求をヒューズ設定に変換する等の管理コンポーネントリソース要求により、エフェクタコア340を介してエフェクタサブシステム148を制御する。ＡＩＭ−Ｘの通信コア330はサービスの同意及び兵器発射によりＮＣＥ170に対する応答をフォーマットする。ＡＩＭ−Ｘ兵器は敵のＵＡＶの静的迎撃を実現し、ＵＡＶを破壊し、ＳＯＦユニットはそのミッションを継続する。
【００７４】
示され説明された特別な構成は本発明の例示であり、その最良のモードは何等本発明の技術的範囲を限定することを意図していない。簡潔にするために、システムの通常の製造、接続、準備、その他の機能特徴については詳細に説明しない。さらに、種々の図面に示されている接続線は例示的な機能関係および／または種々の素子間の物理的結合を表すことを意図している。多くの代りのまたは付加的な機能関係または物理的接続が実際のシステムでは存在してもよい。
【００７５】
前述の説明では、本発明を特定の例示的実施形態を参照して説明したが、種々の変更及び変化がここで説明したような本発明の技術的範囲から逸脱せずに行われることが認識されよう。説明及び図面は本発明を限定するものではなく例示方法であると考えられ、全てのこのような変更は本発明の技術的範囲に含まれることを意図されている。したがって、本発明の技術的範囲は単なる前述の特定の例によってではなくここで説明されている一般的な実施形態と法的等価物により決定されるべきである。例えば、任意の方法またはプロセスの実施形態で述べられているステップは任意の順序で行われてもよく、特定の例で与えられている明確な順序に限定されない。さらに任意の装置の実施形態で述べられているコンポーネントおよび／またはエレメントは本発明と実質的に同じ結果を生むように組み立てられるかまたは他の方法で動作的に種々の順列で構成されることができ、したがって特別例で述べられている特別構造に限定されない。
【００７６】
効果、利点および問題に対する解決策を特別な実施形態に関して前述したが、任意の効果、利点、問題に対する解決策を行うかさらに明白にすることができる任意の効果、利点および問題に対する解決策は臨界的で、必要とされるか基本的特徴またはコンポーネントとして解釈されない。
【００７７】
ここで使用されているように、用語「具備する」、「具備している」またはその任意の変形は非排他的包括を参照することを意図され、それによって、プロセス、方法、アーティクル、組成またはエレメントのリストを具備する装置は述べられたこれらのエレメントだけを含むのではなく、明白にリストされていないかこのようなプロセス、方法、アーティクル、組成または装置に固有ではない他のエレメントも含むことができる。本発明の実施に使用される前述の構造、構成、応用、割合、エレメント、材料またはコンポーネントのその他の組合せおよび／または変形は特に述べられていないものに加えて、本発明の一般原理から逸脱せずに、変化されるか、その他の方法で特別に特別な環境、製造仕様、設計パラメータまたは他の動作要求に適合されることができる。
【００７８】
本発明を好ましい実施形態を参照して前述した。しかしながら、変更及び変形は本発明の技術的範囲を逸脱せずに好ましい実施形態に対して行われることができる。これら及びその他の変化または変形は特許請求の範囲に記載されている本発明の技術的範囲内に含まれることが意図されている。
【図１】
2010505156.tif 000003
【図２】
2010505156.tif 000004
【図３】
2010505156.tif 000005
【図４】
2010505156.tif 000006
【国際調査報告】
2010505156.tif 000007
2010505156.tif 000008